(57)【要約】【課題】著作権を保護した形でのコンテンツ交換や流通経路の特定が可能な旅行情報販売方法を提供する。【解決手段】投稿者の端末が、コミュニティ運営事業者の端末に対し、旅行コンテンツを送信するステップと、前記コミュニティ運営事業者の端末が、前記旅行コンテンツを旅行業者向けに編集するステップと、旅行業者の端末が、前記コミュニティ運営事業者の端末から購入したいコンテンツを選択し、前記コミュニティ運営事業者の端末から、選択したコンテンツを受信するステップと、消費者の端末が、前記旅行業者の端末から購入したいコンテンツを選択し、前記旅行業者の端末から、選択したコンテンツを受信するステップと、を備える。【選択図】図２
2007241959.tif 000002
【特許請求の範囲】
【請求項１】
投稿者の端末が、コミュニティ運営事業者の端末に対し、旅行コンテンツを送信するステップと、
前記コミュニティ運営事業者の端末が、前記旅行コンテンツを旅行業者向けに編集するステップと、
旅行業者の端末が、前記コミュニティ運営事業者の端末から購入したいコンテンツを選択し、前記コミュニティ運営事業者の端末から、選択したコンテンツを受信するステップと、
消費者の端末が、前記旅行業者の端末から購入したいコンテンツを選択し、前記旅行業者の端末から、選択したコンテンツを受信するステップと、
を備えることを特徴とする旅行情報販売方法。
【請求項２】
請求項１に記載の旅行情報販売方法において、
前記コミュニティ運営事業者の端末と前記旅行業者の端末とは、ピア・ツー・ピアの通信により、コンテンツの伝送を行うことを特徴とする旅行情報販売方法。
【請求項３】
請求項１に記載の旅行情報販売方法において、
コンテンツ料は、消費者から旅行業者に渡り、旅行業者からコミュニティ運営事業者に渡り、コミュニティ運営事業者から投稿者に渡ることを特徴とする旅行情報販売方法。
【請求項４】
コミュニティ運営事業者の端末に対し、旅行コンテンツを送信する投稿者の端末と、
前記旅行コンテンツを旅行業者向けに編集するコミュニティ運営事業者の端末と、
前記コミュニティ運営事業者の端末から購入したいコンテンツを選択し、前記コミュニティ運営事業者の端末から、選択したコンテンツを受信する旅行業者の端末と、
前記旅行業者の端末から購入したいコンテンツを選択し、前記旅行業者の端末から、選択したコンテンツを受信する消費者の端末と、
を備えることを特徴とする旅行情報販売システム。
【請求項５】
請求項４に記載の旅行情報販売システムにおいて、
前記コミュニティ運営事業者の端末と前記旅行業者の端末とは、ピア・ツー・ピアの通信により、コンテンツの伝送を行うことを特徴とする旅行情報販売システム。
【請求項６】
請求項４に記載の旅行情報販売システムにおいて、
コンテンツ料は、消費者から旅行業者に渡り、旅行業者からコミュニティ運営事業者に渡り、コミュニティ運営事業者から投稿者に渡ることを特徴とする旅行情報販売システム。
【発明の詳細な説明】
【技術分野】
【０００１】
本発明は、旅行情報を販売するための旅行情報販売方法及び旅行情報販売システムに関する。
【背景技術】
【０００２】
従来、旅行を企画する者が、旅行情報を入手する場合には、有料の旅行ガイドブックなどを主な情報源としている。
【０００３】
他方、近年、世界各国で急速に普及したファイル交換ソフトがピア・ツー・ピアの代名詞のような存在になり、非常に多くの利用者がおり、既にネット上を流れるトラフィックの6割以上がピア・ツー・ピア通信に使われている。
【０００４】
その一方で、著作権を無視した違法コピーや不法コンテンツの流通が社会問題になっている。
【特許文献１】特開２００２−０６３４７２号公報
【発明の開示】
【発明が解決しようとする課題】
【０００５】
有料の旅行ガイドブックなどに記載されている情報は、年に1回程度の改訂があるだけで、ユーザに新鮮な情報が届いていないという問題があった。
【０００６】
また、旅行代理店やホテル等も独自の旅行コンテンツを制作し旅行者に提供しているが、ほとんどが無料であり、また有料にするだけの価値あるコンテンツになっていないという問題があった。
【０００７】
また、単に旅行コンテンツの投稿サイトを設けるだけで、投稿者の投稿した旅行コンテンツが直接消費者に渡るようにすると、投稿者が保有する旅行コンテンツについての著作権を保護することができない。また、そのようにすると旅行コンテンツの流通経路を特定することが困難となる。
【０００８】
また、
本発明は、著作権を保護した形でのコンテンツ交換や流通経路の特定が可能な旅行情報販売方法及び旅行情報販売システムを提供することを目的とする。
【課題を解決するための手段】
【０００９】
本発明によれば、投稿者の端末が、コミュニティ運営事業者の端末に対し、旅行コンテンツを送信するステップと、前記コミュニティ運営事業者の端末が、前記旅行コンテンツを旅行業者向けに編集するステップと、旅行業者の端末が、前記コミュニティ運営事業者の端末から購入したいコンテンツを選択し、前記コミュニティ運営事業者の端末から、選択したコンテンツを受信するステップと、消費者の端末が、前記旅行業者の端末から購入したいコンテンツを選択し、前記旅行業者の端末から、選択したコンテンツを受信するステップと、を備えることを特徴とする旅行情報販売方法が提供される。
【００１０】
上記の旅行情報販売方法において、前記コミュニティ運営事業者の端末と前記旅行業者の端末とは、ピア・ツー・ピアの通信により、コンテンツの伝送を行うようにしてもよい。
【００１１】
上記の旅行情報販売方法において、コンテンツ料は、消費者から旅行業者に渡り、旅行業者からコミュニティ運営事業者に渡り、コミュニティ運営事業者から投稿者に渡るようにしてもよい。
【発明の効果】
【００１２】
本発明によれば、投稿者による旅行コンテンツが不正なルートで消費者に渡ることがなく、また、コンテンツ料が著作権料として消費者から投稿者に渡るため、著作権を保護した形でコンテンツ交換をすることが可能となる。また、コミュニティ運営事業者と旅行業者を介して旅行コンテンツが流通するので、コンテンツの流通経路の特定が可能となる。
【発明を実施するための最良の形態】
【００１３】
以下、図面を参照して本発明を実施するための最良の形態について詳細に説明する。
【００１４】
本発明は、ピア・ツー・ピア技術を用いた情報流通プラットフォームを利用することにより、旅行者等が投稿したコンテンツを利用して、旅行業者を通じて旅行者に販売する手段を提供する。 
【００１５】
次に、本発明の実施例の構成について図面を参照して詳細に説明する。
【００１６】
図１を参照すると、本発明の実施には、消費者１と旅行業者２とコミュニティ運営事業者３と投稿者４とが利用者として登場する。
【００１７】
消費者１は旅行者であり情報端末１０を利用する。
【００１８】
旅行業者２は旅行代理店やホテル等であり、情報端末２０を利用する。
【００１９】
コミュニティ運営事業者３は旅行コンテンツ流通事業者であり、情報端末３０を利用する。
【００２０】
投稿者４は、旅行コンテンツ製作者であり、情報端末４０を利用する。
【００２１】
情報端末１０は、旅行コンテンツを購入するためのインターネット接続可能な情報処理装置である。
【００２２】
情報端末２０は、コミュニティ運営事業者３より旅行コンテンツを購入するためのピア・ツー・ピアＷｅｂ接続機能および、消費者１へ販売するためのインターネット接続可能な情報処理装置である。
【００２３】
情報端末３０は、投稿者４からの旅行コンテンツを受け付けるためのインターネット接続機能、および、旅行業者２用に旅行コンテンツを編集・加工して販売するためのピア・ツー・ピアＷｅｂ接続可能な情報処理装置である。
【００２４】
情報端末４０は、旅行コンテンツを投稿するためのインターネット接続可能な情報処理装置である。
【００２５】
次に、図１及び図２のフローチャートを参照して本発明の実施例の動作について詳細に説明する。
【００２６】
図２を参照すると、旅行業者２はコミュニティ運営事業者３と旅行コンテンツ販売契約を締結し所定の利用料を支払う(ステップＡ１)。
【００２７】
投稿者４はコミュニティ運営事業者３に対して旅行コンテンツを投稿する(ステップＡ２)。投稿のためには、ＨＴＭＬのフォームを利用する。旅行コンテンツは、フォーム情報として、情報端末４０から情報端末３０に送信される。
【００２８】
コミュニティ運営事業者３は投稿されたコンテンツを旅行業者２向けに編集・加工する(ステップＡ３)。編集においては、情報端末３０は、投稿され一時保存されているコンテンツを地域毎に分類したり、消費者層毎に分類したり、カテゴリ別に分類したり、旅行目的別に分類したり、特集を組んだりする。また、分類毎の各コンテンツに分類の名称や記号及びタイトルを付ける。
【００２９】
旅行業者２はコミュニティに参加し、購入したいコンテンツを選択し（ステップＡ４）、その送信を受け（ステップＡ５）、コンテンツ料を支払う(ステップＡ６)。選択するための画面には、ステップＡ３での編集結果の分類毎にコンテンツがタイトル付きで表示される。コンテンツの内容自体を表示できるようにしてもよい。ステップＡ５でのコンテンツの伝送には、インターネット上でのピア・ツー・ピア通信が利用される。
【００３０】
コミュニティ運営事業者３は投稿者４に対して販売実績に応じた報酬を支払う(ステップＡ７)。
【００３１】
消費者１は旅行業者２のＷｅｂサイトにアクセスし、購入したいコンテンツを選択し（ステップＡ８）、そのコンテンツの提供を受け（ステップＡ９）、コンテンツ料を支払う(ステップＡ１０)。選択するための画面には、ステップＡ３での編集結果の分類毎にコンテンツがタイトル付きで表示される。コンテンツの内容自体を表示できるようにしてもよい。ステップＡ９でのコンテンツの提供では、コンテンツを記載したホームページを情報端末１０にダウンロードする。また、電子メールの添付ファイルとしてコンテンツを情報端末１０にダウンロードしてもよい。
【００３２】
本実施形態によれば、以下の効果が奏される。
【００３３】
第１の効果は消費者にとって利便性が向上することである。
【００３４】
その理由は、投稿者からの新鮮で価値ある旅行コンテンツを入手できるからである。
【００３５】
また、消費者自身もコンテンツ投稿者となることができるため、新たな旅行を投稿準備として捉え、旅行の満足と楽しみが得られるからである。
【００３６】
第２の効果は旅行業者にとって、新たな収益源が得られることである。
【００３７】
その理由は、自前の無料配布にかえて、価値あるコンテンツをコミュニティ運営事業者から買って、消費者に再販することが可能となるからである。 
【図面の簡単な説明】
【００３８】
【図１】本発明の実施形態による旅行情報販売システムの構成を示すブロック図である。
【図２】図１に示す旅行情報販売システムにより行われる旅行情報販売方法を説明するためのフローチャートである。
【符号の説明】
【００３９】
１  消費者
１０  消費者の情報端末
２  旅行業者
２０  旅行業者の情報端末
３  コミュニティ運営事業者
３０  コミュニティ運営事業者の情報端末
４  投稿者
４０  投稿者の情報端末
【図１】
2007241959.tif 000003
【図２】
2007241959.tif 000004